【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
位置情報を取得する位置情報取得手段と、
前記位置情報取得手段が取得した位置情報を通信回線側へ通知する位置情報通知手段と、
位置を知りたい対象の情報である対象情報を前記通信回線側へ通知する対象情報通知手段とを備えた通信装置であって、
前記対象情報通知手段が通知した対象の位置情報であってかつ前記位置情報通知手段が通知した位置情報に基づいた周辺領域に含まれる１以上の該対象の位置情報を前記通信回線側から入力し、該入力した対象の位置情報を前記通信回線側へ通知し、該通知した対象の位置情報に対応する情報を前記通信回線側から受信することを特徴とする通信装置。
【請求項２】
位置情報を取得する位置情報取得手段と、
前記位置情報取得手段が取得した位置情報を他装置へ送信する位置情報送信手段と、
位置を知りたい対象の情報である対象情報を他装置へ送信する対象情報送信手段とを備えた通信装置であって、
前記対象情報送信手段が送信した対象の位置情報であってかつ前記位置情報送信手段が送信した位置情報に基づいた周辺領域に含まれる１以上の該対象の位置情報を他装置から入力し、該入力した対象の位置情報を他装置へ送信し、該送信した対象の位置情報に対応する情報を他装置から受信することを特徴とする通信装置。
【請求項３】
該受信した情報は地図情報であって、該地図情報に基づいて地図を表示することを特徴とする請求項１または２のいずれかに記載の通信装置。
【請求項４】
該入力した対象の位置情報に基づいて地図上に記号を表示することを特徴とする請求項３に記載の通信装置。
【請求項５】
前記位置情報取得手段が取得する位置情報は目的地の位置情報であることを特徴とする請求項１乃至４のいずれかに記載の通信装置。
【請求項６】
前記位置情報取得手段が取得する位置情報は自装置の位置情報であることを特徴とする請求項１乃至４のいずれかに記載の通信装置。
【請求項７】
前記対象情報は、対象の識別情報、名称、識別番号のうちの少なくとも１以上の情報であることを特徴とする請求項１乃至６のいずれかに記載の通信装置。
【請求項８】
位置情報を取得する位置情報取得手段と、
前記位置情報取得手段が取得した位置情報を通信回線側へ通知する位置情報通知手段と、
位置を知りたい対象の情報である対象情報を前記通信回線側へ通知する対象情報通知手段とを備えた通信装置のコンピュータシステムが実行可能なプログラムであって、
前記対象情報通知手段が通知した対象の位置情報であってかつ前記位置情報通知手段が通知した位置情報に基づいた周辺領域に含まれる１以上の該対象の位置情報を前記通信回線側から入力し、該入力した対象の位置情報を前記通信回線側へ通知し、該通知した対象の位置情報に対応する情報を前記通信回線側から受信するステップを備えたことを特徴とするプログラム。
【請求項９】
位置情報を取得する位置情報取得手段と、
前記位置情報取得手段が取得した位置情報を他装置へ送信する位置情報送信手段と、
位置を知りたい対象の情報である対象情報を他装置へ送信する対象情報送信手段とを備えた通信装置のコンピュータシステムが実行可能なプログラムであって、
前記対象情報送信手段が送信した対象の位置情報であってかつ前記位置情報送信手段が送信した位置情報に基づいた周辺領域に含まれる１以上の該対象の位置情報を他装置から入力し、該入力した対象の位置情報を他装置へ送信し、該送信した対象の位置情報に対応する情報を他装置から受信するステップを備えたことを特徴とするプログラム。
【請求項１０】
該受信した情報は地図情報であって、該地図情報に基づいて地図を表示することを特徴とする請求項８または９のいずれかに記載のプログラム。
【請求項１１】
該入力した対象の位置情報に基づいて地図上に記号を表示することを特徴とする請求項１０に記載のプログラム。
【請求項１２】
前記位置情報取得手段が取得する位置情報は目的地の位置情報であることを特徴とする請求項８乃至１１のいずれかに記載のプログラム。
【請求項１３】
前記位置情報取得手段が取得する位置情報は自装置の位置情報であることを特徴とする請求項８乃至１１のいずれかに記載のプログラム。
【請求項１４】
前記対象情報は、対象の識別情報、名称、識別番号のうちの少なくとも１以上の情報であることを特徴とする請求項８乃至１３のいずれかに記載のプログラム。
【手続補正２】
【補正対象書類名】明細書
【補正対象項目名】発明の名称
【補正方法】変更
【補正の内容】
【発明の名称】通信装置およびプログラム
【手続補正３】
【補正対象書類名】明細書
【補正対象項目名】０００１
【補正方法】変更
【補正の内容】
【０００１】
本発明は、位置情報を取得する位置情報取得手段と、前記位置情報取得手段が取得した位置情報を通信回線側へ通知する位置情報通知手段と、位置を知りたい対象の情報である対象情報を前記通信回線側へ通知する対象情報通知手段とを備えた通信装置、および、当該通信装置のコンピュータシステムが実行可能なプログラムに関する。
【手続補正４】
【補正対象書類名】明細書
【補正対象項目名】０００２
【補正方法】変更
【補正の内容】
【０００２】
ＧＰＳ（全地球測位システム）は、一般には、複数の人工衛星からの電波を受信し、その到達時間のずれから自分のいる緯度と経度等の地球上の位置情報を算出するシステムである。近年、ＧＰＳ機能を搭載した携帯型電話機が多数開発されている。通信装置におけるＧＰＳの有効利用例としては、自装置の位置情報をＧＰＳ機能により取得し、ディスプレイの地図上に位置を表示する例がある。
【手続補正５】
【補正対象書類名】明細書
【補正対象項目名】０００３
【補正方法】変更
【補正の内容】
【０００３】
しかし、従来は、通信装置における位置情報や地図情報の扱いにはまだまだ利便性に欠けるところがあった。
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】変更
【補正の内容】
【０００６】
本発明は係る事情に鑑みてなされたものであり、位置情報や地図情報の扱いにおいて利便性の高い通信装置およびプログラムを提供することを目的とする。
【手続補正９】
【補正対象書類名】明細書
【補正対象項目名】０００７
【補正方法】変更
【補正の内容】
【０００７】
本発明は、位置情報を取得する位置情報取得手段と、前記位置情報取得手段が取得した位置情報を通信回線側へ通知する位置情報通知手段と、位置を知りたい対象の情報である対象情報を前記通信回線側へ通知する対象情報通知手段とを備えた通信装置であって、前記対象情報通知手段が通知した対象の位置情報であってかつ前記位置情報通知手段が通知した位置情報に基づいた周辺領域に含まれる１以上の該対象の位置情報を前記通信回線側から入力し、該入力した対象の位置情報を前記通信回線側へ通知し、該通知した対象の位置情報に対応する情報を前記通信回線側から受信するようにしたものである。
【手続補正１０】
【補正対象書類名】明細書
【補正対象項目名】０００８
【補正方法】変更
【補正の内容】
【０００８】
また、位置情報を取得する位置情報取得手段と、前記位置情報取得手段が取得した位置情報を他装置へ送信する位置情報送信手段と、位置を知りたい対象の情報である対象情報を他装置へ送信する対象情報送信手段とを備えた通信装置であって、前記対象情報送信手段が送信した対象の位置情報であってかつ前記位置情報送信手段が送信した位置情報に基づいた周辺領域に含まれる１以上の該対象の位置情報を他装置から入力し、該入力した対象の位置情報を他装置へ送信し、該送信した対象の位置情報に対応する情報を他装置から受信するようにしたものである。
また、該受信した情報は地図情報であって、該地図情報に基づいて地図を表示するようにしたものである。また、該入力した対象の位置情報に基づいて地図上に記号を表示するようにしたものである。また、前記位置情報取得手段が取得する位置情報は目的地の位置情報である。また、前記位置情報取得手段が取得する位置情報は自装置の位置情報である。また、前記対象情報は、対象の識別情報、名称、識別番号のうちの少なくとも１以上の情報である。
【手続補正１１】
【補正対象書類名】明細書
【補正対象項目名】０００９
【補正方法】変更
【補正の内容】
【０００９】
また、位置情報を取得する位置情報取得手段と、前記位置情報取得手段が取得した位置情報を通信回線側へ通知する位置情報通知手段と、位置を知りたい対象の情報である対象情報を前記通信回線側へ通知する対象情報通知手段とを備えた通信装置のコンピュータシステムが実行可能なプログラムであって、前記対象情報通知手段が通知した対象の位置情報であってかつ前記位置情報通知手段が通知した位置情報に基づいた周辺領域に含まれる１以上の該対象の位置情報を前記通信回線側から入力し、該入力した対象の位置情報を前記通信回線側へ通知し、該通知した対象の位置情報に対応する情報を前記通信回線側から受信するステップを備えたものである。
【手続補正１２】
【補正対象書類名】明細書
【補正対象項目名】００１０
【補正方法】変更
【補正の内容】
【００１０】
また、位置情報を取得する位置情報取得手段と、前記位置情報取得手段が取得した位置情報を他装置へ送信する位置情報送信手段と、位置を知りたい対象の情報である対象情報を他装置へ送信する対象情報送信手段とを備えた通信装置のコンピュータシステムが実行可能なプログラムであって、前記対象情報送信手段が送信した対象の位置情報であってかつ前記位置情報送信手段が送信した位置情報に基づいた周辺領域に含まれる１以上の該対象の位置情報を他装置から入力し、該入力した対象の位置情報を他装置へ送信し、該送信した対象の位置情報に対応する情報を他装置から受信するステップを備えたものである。  また、該受信した情報は地図情報であって、該地図情報に基づいて地図を表示するようにしたものである。また、該入力した対象の位置情報に基づいて地図上に記号を表示するようにしたものである。また、前記位置情報取得手段が取得する位置情報は目的地の位置情報である。また、前記位置情報取得手段が取得する位置情報は自装置の位置情報である。また、前記対象情報は、対象の識別情報、名称、識別番号のうちの少なくとも１以上の情報である。
【手続補正１３】
【補正対象書類名】明細書
【補正対象項目名】００１１
【補正方法】削除
【補正の内容】
【手続補正１４】
【補正対象書類名】明細書
【補正対象項目名】００１２
【補正方法】削除
【補正の内容】
【手続補正１５】
【補正対象書類名】明細書
【補正対象項目名】００１３
【補正方法】削除
【補正の内容】
【手続補正１６】
【補正対象書類名】明細書
【補正対象項目名】００１４
【補正方法】削除
【補正の内容】
【手続補正１７】
【補正対象書類名】明細書
【補正対象項目名】００１５
【補正方法】削除
【補正の内容】
【手続補正１８】
【補正対象書類名】明細書
【補正対象項目名】００１６
【補正方法】削除
【補正の内容】
【手続補正１９】
【補正対象書類名】明細書
【補正対象項目名】００１７
【補正方法】削除
【補正の内容】
【手続補正２０】
【補正対象書類名】明細書
【補正対象項目名】００１８
【補正方法】変更
【補正の内容】
【００１８】
本発明によれば、位置情報や地図情報の扱いにおいて利便性の高い通信装置およびプログラムを提供することが可能となる。
【手続補正２１】
【補正対象書類名】明細書
【補正対象項目名】００１９
【補正方法】削除
【補正の内容】